(57)【要約】【課題】  例えば入浴中の覗きを効率的に防止できる、省電力化が可能な安価な防犯システムを提供する。【解決手段】  屋外配置の給湯器２７と屋内配置のリモコン装置１とを、通信線２を介して接続する。給湯器２７には、その近傍に人がいることを検知する人検知センサ７を設け、人検知センサ７が人の検知を行ったときに人検知センサ７から出力される人検知有りの信号を、通信線２を介して給湯器２７からリモコン装置１へ伝達し、リモコン装置１に設けた報知手段によって、人検知有りの情報を表示と音声により報知する。リモコン装置１に設けて給湯器２７の自動湯張り動作のオンオフ操作を行う自動スイッチ３６がオンの時に人検知センサ７を動作モードとし、自動スイッチ３６がオフの時に人検知センサ７を非動作モードとする。【選択図】        図１
2006221358.tif 000002
【特許請求の範囲】
【請求項１】
給湯先への給湯機能を具備した屋外配置の給湯装置と、該給湯装置の回路に通信線を介して信号接続されて該給湯装置の遠隔操作を行なう屋内配置のリモコン装置とを有し、前記給湯装置には該給湯装置の近傍に人がいることを検知する人検知センサが設けられて、該人検知センサが人の検知を行ったときには人検知有りの信号が前記通信線を介して給湯装置から前記リモコン装置へ伝達される構成と成し、この伝達された信号を受けて人検知有りの情報を表示と音声の少なくとも一方により報知する報知手段が前記リモコン装置に設けられており、該リモコン装置には、オン操作によって給湯装置の遠隔操作を可能状態に設定し、オフ操作によってその遠隔操作の可能状態を解除する運転スイッチが設けられて、該運転スイッチがオンの時には前記人検知センサによる人の検知動作を行う人検知動作モードとし、前記運転スイッチがオフの時には前記人検知センサによる人の検知動作を行わない非人検知動作モードとするモード切替制御部を有することを特徴とする防犯システム。
【請求項２】
浴槽を含む１つ以上の給湯先への給湯機能を具備した屋外配置の給湯装置と、該給湯装置の回路に通信線を介して信号接続されて該給湯装置の遠隔操作を行なう屋内配置のリモコン装置とを有し、前記給湯装置には該給湯装置の近傍に人がいることを検知する人検知センサが設けられて、該人検知センサが人の検知を行ったときには人検知有りの信号が前記通信線を介して給湯装置から前記リモコン装置へ伝達される構成と成し、この伝達された信号を受けて人検知有りの情報を表示と音声の少なくとも一方により報知する報知手段が前記リモコン装置に設けられており、該リモコン装置には、オン操作によって前記給湯装置の前記浴槽への湯張り動作と該湯張り動作の後の浴槽内の湯の保温動作のうち少なくとも湯張り動作を有する自動動作を開始し、オフ操作によって該オフ操作直前に行われていた湯張り動作または保温動作を解除する自動スイッチが設けられて、該自動スイッチがオンの時には前記人検知センサによる人の検知動作を行う人検知動作モードとし、前記自動スイッチがオフの時には前記人検知センサによる人の検知動作を行わない非人検知動作モードとするモード切替制御部を有することを特徴とする防犯システム。
【請求項３】
モード切替制御部は、自動スイッチがオンの時に人検知動作モードとして前記自動スイッチがオフの時に非人検知動作モードとする代わりに、前記自動スイッチのオン操作によって給湯装置の湯張り動作が終了したときまたは終了してから予め定めた設定待機時間が経過したときから前記人検知センサによる人の検知動作を開始し、該開始時から予め定めた設定センサ動作時間が経過したときには前記人検知センサによる人の検知動作を終了することを特徴とする請求項２記載の防犯システム。
【請求項４】
浴槽を含む１つ以上の給湯先への給湯機能を具備した屋外配置の給湯装置と、該給湯装置の回路に通信線を介して信号接続されて該給湯装置の遠隔操作を行なう屋内配置のリモコン装置とを有し、前記給湯装置には該給湯装置の近傍に人がいることを検知する人検知センサが設けられて、該人検知センサが人の検知を行ったときには人検知有りの信号が前記通信線を介して給湯装置から前記リモコン装置へ伝達される構成と成し、この伝達された信号を受けて人検知有りの情報を表示と音声の少なくとも一方により報知する報知手段が前記リモコン装置に設けられており、該リモコン装置には、オン操作によって前記浴槽内の湯水の追い焚き動作を行い、オフ操作によって前記追い焚き動作を解除する追い焚きスイッチが設けられて、該追い焚きスイッチがオンの時には前記人検知センサによる人の検知動作を行う人検知動作モードとし、前記追い焚きスイッチがオフの時には前記人検知センサによる人の検知動作を行わない非人検知動作モードとするモード切替制御部を有することを特徴とする防犯システム。
【請求項５】
浴槽を含む１つ以上の給湯先への給湯機能を具備した屋外配置の給湯装置と、該給湯装置の回路に通信線を介して信号接続されて該給湯装置の遠隔操作を行なう屋内配置のリモコン装置とを有し、前記給湯装置には該給湯装置の近傍に人がいることを検知する人検知センサが設けられて、該人検知センサが人の検知を行ったときには人検知有りの信号が前記通信線を介して給湯装置から前記リモコン装置へ伝達される構成と成し、この伝達された信号を受けて人検知有りの情報を表示と音声の少なくとも一方により報知する報知手段が前記リモコン装置に設けられており、人の前記浴槽への入浴と浴槽からの出浴を検出する入出浴者検知センサが前記リモコン装置に信号接続され、該入出浴者検知センサのセンサ出力に基づき人が浴槽に入ったことが検出された時または検出されてから予め定めた設定待機時間が経過したときに前記人検知センサによる人の検知動作を開始し、前記入出浴者検知センサのセンサ出力に基づいて人が前記浴槽から出たことが検出された時または検出されてから予め定めた設定動作時間が経過したときに前記人検知センサによる人の検知動作を終了することを特徴とする防犯システム。
【請求項６】
浴槽の水位を検出する浴槽水位検出手段を有し、入出浴者検知センサを設ける代わりに前記浴槽水位検出手段により人の前記浴槽への入浴による水位上昇が検出されたときまたは検出されてから予め定めた設定時間が経過したときに人検知センサによる人の検知動作を開始し、該開始時から前記浴槽水位検出手段により人が前記浴槽から出ることによる水位下降が検出された時または検出されてから予め定めた設定動作時間が経過するまで前記人検知センサによる人の検知動作を行うことを特徴とする請求項５記載の防犯システム。
【請求項７】
浴室を含む１つ以上の給湯先への給湯機能を具備した屋外配置の給湯装置と、該給湯装置の回路に通信線を介して信号接続されて該給湯装置の遠隔操作を行なう屋内配置のリモコン装置とを有し、前記給湯装置には該給湯装置の近傍に人がいることを検知する人検知センサが設けられて、該人検知センサが人の検知を行ったときには人検知有りの信号が前記通信線を介して給湯装置から前記リモコン装置へ伝達される構成と成し、この伝達された信号を受けて人検知有りの情報を表示と音声の少なくとも一方により報知する報知手段が前記リモコン装置に設けられており、該リモコン装置には人の前記浴室への入室と浴室からの退室を検出する入出浴者検知センサが信号接続され、該入出浴者検知センサのセンサ出力に基づき人が前記浴室に入ったことが検出された時または検出されてから予め定めた設定待機時間が経過したときに前記人検知センサによる人の検知動作を開始し、前記入出浴者検知センサのセンサ出力に基づいて人が前記浴室から出たことが検出された時または検出されてから予め定めた設定動作時間が経過したときに前記人検知センサによる人の検知動作を終了することを特徴とする防犯システム。
【請求項８】
給湯装置とリモコン装置の少なくとも一方には、伝達された人検知有りの信号に基づき光と音の少なくとも一方により威嚇を行う威嚇動作部が直接または信号線を介して設けられていることを特徴とする請求項１乃至請求項７のいずれか一つに記載の防犯システム。
【請求項９】
給湯装置とリモコン装置の少なくとも一方には、人検知センサによってその検知領域に人がいることを検知したときに、人検知有りの情報を予め定められている設定電話番号の電話に送信する電話用データ送信部を有することを特徴とする請求項１乃至請求項８のいずれか一つに記載の防犯システム。
【請求項１０】
給湯装置とリモコン装置の少なくとも一方には、人検知センサによる人の検知感度を可変設定できる人検知感度可変設定部が設けられていることを特徴とする請求項１乃至請求項９のいずれか一つに記載の防犯システム。
【請求項１１】
給湯装置は浴室の窓近傍領域に配置されていることを特徴とする請求項１乃至請求項１０のいずれか一つに記載の防犯システム。
【請求項１２】
給湯装置に人検知センサを設ける代わりに、該給湯装置以外の場所に人検知センサを設置し、前記給湯装置には前記人検知センサがその検知領域に人がいることを検知して人検知有りの信号を出力したときに、該人検知有りの信号を受信して該信号を通信線を介してリモコン装置側に送信する人検知有り信号受送信部を設けたことを特徴とする請求項１乃至請求項１１のいずれか一つに記載の防犯システム。
【発明の詳細な説明】
【技術分野】
【０００１】
本発明は、例えば給湯器や風呂釜等、住宅等の屋外に配置される給湯装置と屋内に配置されるリモコン装置とを利用する防犯システムに関するものである。
【背景技術】
【０００２】
近年、住宅等において、様々な防犯システムが用いられており、例えばインターホンにより、玄関先にいる人の映像を屋内で確認できるようにすること等が行われている。（例えば、特許文献１、参照。）。
【０００３】
また、例えば図６に示すように、浴室５８の窓５３の付近にある軒下５４に、赤外線センサ等の人を検知できるセンサ（人検知センサ）７を設けて、人検知センサ７の下部側領域を検知領域（例えば図の破線に挟まれた領域）とし、この検知領域を通って窓５３から侵入する不審者等を把握しようとすることが提案されている。
【０００４】
【特許文献１】特開２００３−３４６２５９号公報
【発明の開示】
【発明が解決しようとする課題】
【０００５】
不審者等は、玄関から入るより、例えば浴室５８の窓５３から浴室５８を覗こうとしたり、窓５３から侵入しようとしたりする可能性が高いと考えられるが、上記のように、軒下５４に人検知センサ７を設ける場合、人検知センサ７の電源を屋内に設けて接続するには、その接続線を通す穴を家屋に形成しなければならないため、家屋を傷めるおそれがあるし、設置作業も大変である。
【０００６】
また、近年は、特に、環境を考慮し、様々な機器やシステムにおいて、省エネルギー化が図れることが重要となってきており、防犯システムにおいても、あまり必要がないときには防犯機能を停止する等して、省電力化が図れ、より効率的に防犯効果が得られるシステムが求められている。
【０００７】
本発明は上記従来の課題を解決するために成されたものであり、その目的は、住宅等に防犯システムを設けるためだけに工事をする必要が無く、安価に設けることができ、かつ、設置後の省電力化を図り、効率的に防犯効果を得ることができる防犯システムを提供することにある。
【課題を解決するための手段】
【０００８】
上記目的を達成するために、本発明は次のような構成をもって課題を解決する手段としている。すなわち、第１の発明は、給湯先への給湯機能を具備した屋外配置の給湯装置と、該給湯装置の回路に通信線を介して信号接続されて該給湯装置の遠隔操作を行なう屋内配置のリモコン装置とを有し、前記給湯装置には該給湯装置の近傍に人がいることを検知する人検知センサが設けられて、該人検知センサが人の検知を行ったときには人検知有りの信号が前記通信線を介して給湯装置から前記リモコン装置へ伝達される構成と成し、この伝達された信号を受けて人検知有りの情報を表示と音声の少なくとも一方により報知する報知手段が前記リモコン装置に設けられており、該リモコン装置には、オン操作によって給湯装置の遠隔操作を可能状態に設定し、オフ操作によってその遠隔操作の可能状態を解除する運転スイッチが設けられて、該運転スイッチがオンの時には前記人検知センサによる人の検知動作を行う人検知動作モードとし、前記運転スイッチがオフの時には前記人検知センサによる人の検知動作を行わない非人検知動作モードとするモード切替制御部を有する構成をもって課題を解決する手段としている。
【０００９】
また、第２の発明は、浴槽を含む１つ以上の給湯先への給湯機能を具備した屋外配置の給湯装置と、該給湯装置の回路に通信線を介して信号接続されて該給湯装置の遠隔操作を行なう屋内配置のリモコン装置とを有し、前記給湯装置には該給湯装置の近傍に人がいることを検知する人検知センサが設けられて、該人検知センサが人の検知を行ったときには人検知有りの信号が前記通信線を介して給湯装置から前記リモコン装置へ伝達される構成と成し、この伝達された信号を受けて人検知有りの情報を表示と音声の少なくとも一方により報知する報知手段が前記リモコン装置に設けられており、該リモコン装置には、オン操作によって前記給湯装置の前記浴槽への湯張り動作と該湯張り動作の後の前記浴槽内の湯の保温動作のうち少なくとも湯張り動作を有する自動動作を開始し、オフ操作によって該オフ操作直前に行われていた湯張り動作または保温動作を解除する自動スイッチが設けられて、該自動スイッチがオンの時には前記人検知センサによる人の検知動作を行う人検知動作モードとし、前記自動スイッチがオフの時には前記人検知センサによる人の検知動作を行わない非人検知動作モードとするモード切替制御部を有する構成をもって課題を解決する手段としている。
【００１０】
さらに、第３の発明は、上記第２の発明の構成に加え、前記モード切替制御部は、自動スイッチがオンの時に人検知動作モードとして前記自動スイッチがオフの時に非人検知動作モードとする代わりに、前記自動スイッチのオン操作によって給湯装置の湯張り動作が終了したときまたは終了してから予め定めた設定待機時間が経過したときから前記人検知センサによる人の検知動作を開始し、該開始時から予め定めた設定センサ動作時間が経過したときには前記人検知センサによる人の検知動作を終了する構成をもって課題を解決する手段としている。
【００１１】
さらに、第４の発明は、浴槽を含む１つ以上の給湯先への給湯機能を具備した屋外配置の給湯装置と、該給湯装置の回路に通信線を介して信号接続されて該給湯装置の遠隔操作を行なう屋内配置のリモコン装置とを有し、前記給湯装置には該給湯装置の近傍に人がいることを検知する人検知センサが設けられて、該人検知センサが人の検知を行ったときには人検知有りの信号が前記通信線を介して給湯装置から前記リモコン装置へ伝達される構成と成し、この伝達された信号を受けて人検知有りの情報を表示と音声の少なくとも一方により報知する報知手段が前記リモコン装置に設けられており、該リモコン装置には、オン操作によって前記浴槽内の湯水の追い焚き動作を行い、オフ操作によって前記追い焚き動作を解除する追い焚きスイッチが設けられて、該追い焚きスイッチがオンの時には前記人検知センサによる人の検知動作を行う人検知動作モードとし、前記追い焚きスイッチがオフの時には前記人検知センサによる人の検知動作を行わない非人検知動作モードとするモード切替制御部を有する構成をもって課題を解決する手段としている。
【００１２】
さらに、第５の発明は、浴槽を含む１つ以上の給湯先への給湯機能を具備した屋外配置の給湯装置と、該給湯装置の回路に通信線を介して信号接続されて該給湯装置の遠隔操作を行なう屋内配置のリモコン装置とを有し、前記給湯装置には該給湯装置の近傍に人がいることを検知する人検知センサが設けられて、該人検知センサが人の検知を行ったときには人検知有りの信号が前記通信線を介して給湯装置から前記リモコン装置へ伝達される構成と成し、この伝達された信号を受けて人検知有りの情報を表示と音声の少なくとも一方により報知する報知手段が前記リモコン装置に設けられており、人の前記浴槽への入浴と浴槽からの出浴を検出する入出浴者検知センサが前記リモコン装置に信号接続され、該入出浴者検知センサのセンサ出力に基づき人が前記浴槽に入ったことが検出された時または検出されてから予め定めた設定待機時間が経過したときに前記人検知センサによる人の検知動作を開始し、前記入出浴者検知センサのセンサ出力に基づいて人が前記浴槽から出たことが検出された時または検出されてから予め定めた設定動作時間が経過したときに前記人検知センサによる人の検知動作を終了する構成をもって課題を解決する手段としている。
【００１３】
さらに、第６の発明は、上記第５の発明の構成に加え、前記浴槽の水位を検出する浴槽水位検出手段を有し、入出浴者検知センサを設ける代わりに前記浴槽水位検出手段により人の前記浴槽への入浴による水位上昇が検出されたときまたは検出されてから予め定めた設定時間が経過したときに人検知センサによる人の検知動作を開始し、該開始時から前記浴槽水位検出手段により人が前記浴槽から出ることによる水位下降が検出された時または検出されてから予め定めた設定動作時間が経過するまで前記人検知センサによる人の検知動作を行う構成をもって課題を解決する手段としている。
【００１４】
さらに、第７の発明は、浴室を含む１つ以上の給湯先への給湯機能を具備した屋外配置の給湯装置と、該給湯装置の回路に通信線を介して信号接続されて該給湯装置の遠隔操作を行なう屋内配置のリモコン装置とを有し、前記給湯装置には該給湯装置の近傍に人がいることを検知する人検知センサが設けられて、該人検知センサが人の検知を行ったときには人検知有りの信号が前記通信線を介して給湯装置から前記リモコン装置へ伝達される構成と成し、この伝達された信号を受けて人検知有りの情報を表示と音声の少なくとも一方により報知する報知手段が前記リモコン装置に設けられており、該リモコン装置には人の前記浴室への入室と浴室からの退室を検出する入出浴者検知センサが信号接続され、該入出浴者検知センサのセンサ出力に基づき人が前記浴室に入ったことが検出された時または検出されてから予め定めた設定待機時間が経過したときに前記人検知センサによる人の検知動作を開始し、前記入出浴者検知センサのセンサ出力に基づいて人が前記浴室から出たことが検出された時または検出されてから予め定めた設定動作時間が経過したときに前記人検知センサによる人の検知動作を終了する構成をもって課題を解決する手段としている。
【００１５】
さらに、第８の発明は、上記第１乃至第７のいずれか一つの発明の構成に加え、前記給湯装置とリモコン装置の少なくとも一方には、伝達された人検知有りの信号に基づき光と音の少なくとも一方により威嚇を行う威嚇動作部が直接または信号線を介して設けられている構成をもって課題を解決する手段としている。
【００１６】
さらに、第９の発明は、上記第１乃至第８のいずれか一つの発明の構成に加え、前記給湯装置とリモコン装置の少なくとも一方には、人検知センサによってその検知領域に人がいることを検知したときに、人検知有りの情報を予め定められている設定電話番号の電話に送信する電話用データ送信部を有する構成をもって課題を解決する手段としている。
【００１７】
さらに、第１０の発明は、上記第１乃至第９のいずれか一つの発明の構成に加え、前記給湯装置とリモコン装置の少なくとも一方には、人検知センサによる人の検知感度を可変設定できる人検知感度可変設定部が設けられている構成をもって課題を解決する手段としている。
【００１８】
さらに、第１１の発明は、上記第１乃至第１０のいずれか一つの発明の構成に加え、前記給湯装置は浴室の窓近傍領域に配置されている構成をもって課題を解決する手段としている。
【００１９】
さらに、第１２の発明は、上記第１乃至第１１のいずれか一つの発明の構成に加え、前記給湯装置に人検知センサを設ける代わりに、該給湯装置以外の場所に人検知センサを設置し、前記給湯装置には前記人検知センサがその検知領域に人がいることを検知して人検知有りの信号を出力したときに、該人検知有りの信号を受信して該信号を通信線を介してリモコン装置側に送信する人検知有り信号受送信部を設けた構成をもって課題を解決する手段としている。
【発明の効果】
【００２０】
本発明によれば、給湯装置に設けられた人検知センサが人の検知を行ったときには人検知有りの信号が通信線を介して前記給湯装置からリモコン装置へ伝達され、この伝達された信号を受けて人検知有りの情報を表示と音声の少なくとも一方により報知するので、屋外の人検知センサにより検知した情報を屋内の利用者に伝達するための新たな通信線を敷設する必要が無く、通信線を用いて、屋内にいる利用者に、人検知センサが人の検知を行ったことを報知できる。
【００２１】
したがって、屋外の人検知センサによる人検知の情報を屋内に伝える線を設けるための工事費用が不要で、防犯システムを設けるためのコストを安くでき、利用者に、不審者等が屋外にいることを的確に知らせて注意を促すことができる。
【００２２】
また、本発明によれば、人検知センサによる人の検知動作を行うか否かが、リモコン装置の運転スイッチや自動スイッチ、追い焚きスイッチのオンオフ情報、ならびに、給湯装置が湯張り動作を終了したか否かといった運転情報、浴槽への入出浴、浴室への入退室等の情報に基づいて決定されるので、人の入浴時における不審者等による浴室の覗きを効率的に防止でき、かつ、省電力化を図ることができる。
【００２３】
つまり、運転スイッチや自動スイッチや追い焚きスイッチがオンの時や、給湯装置による湯張り終了後の一定時間には、人の入浴が行われる可能性が高いので、この時間に人検知センサによる人の検知動作を行うようにすると、不審者等を人検知センサによって効率的に検知でき、浴室の覗きに対する注意を促すことができるので覗き等を効率的に防止できるし、運転スイッチや自動スイッチや追い焚きスイッチがオフの時や、給湯装置による湯張り終了後の一定時間経過後に、人検知センサによる人の検知動作を行わないようにすれば、人の入浴の可能性が小さいときには人検知センサによる人の検知動作を行わないようにして（人検知センサをオフまたは省電力の待機状態として）、省電力化を図ることができる。
【００２４】
また、浴槽への入出浴、浴室への入退室等の情報を入出力者検知センサや水位センサのセンサ出力に基づいて検知して、人の入浴時に人検知センサによる人の検知動作を行うようにすると、人の入浴中やその前後に不審者等を人検知センサによってより一層効率的に検知できるので、浴室の覗きに対する注意を促して覗き等を効率的に防止でき、かつ、人の入浴時以外の時には人検知センサによる人の検知動作を行わないようにして（人検知センサをオフまたは省電力の待機状態として）、省電力化を図ることができる。
【００２５】
また、本発明において、給湯装置とリモコン装置の少なくとも一方には、伝達された人検知有りの信号に基づき光と音の少なくとも一方により威嚇を行う威嚇動作部が直接または信号線を介して設けられている構成によれば、例えば泥棒等の不審者が人検知センサにより検知された時に、給湯装置の威嚇動作部により威嚇することにより、不審者が逃げ出すように仕向けることができる。また、リモコン装置の威嚇動作部を動作させれば、不審者等の発見を使用者により明確に知らせることができ、防犯機能を高めることができる。
【００２６】
さらに、本発明において、給湯装置とリモコン装置の少なくとも一方には、人検知センサによってその検知領域に人がいることを検知したときに、人検知有りの情報を予め定められている設定電話番号の電話に送信する電話用データ送信部を有する構成によれば、例えば、人検知センサによって不審者等が検知されたことを、設定電話番号の電話に送信し、呼び出し音で注意を促したり、人が検知された事実を記録したりすることができるので、利用者により一層注意を促すことができる。
【００２７】
さらに、本発明において、給湯装置とリモコン装置の少なくとも一方には、人検知センサによる人の検知感度を可変設定できる人検知感度可変設定部が設けられている構成によれば、例えば人検知センサが設置されている場所を猫等が通りやすい時間帯に、人検知センサによる人の検知感度を小さく設定すること等により、人検知センサが必要以上に人の検知を行う（人以外の生き物等を人と誤検知する）といったこと等を抑制できる。
【００２８】
さらに、本発明において、給湯装置は浴室の窓近傍領域に配置されている構成によれば、浴室の窓近傍領域に配置した給湯装置に人検知センサを設けて人の検知を行えるので、浴室の覗きに対する注意を促して、覗き等をより一層効率的に防止できる。
【００２９】
さらに、本発明において、給湯装置に人検知センサを設ける代わりに、該給湯装置以外の場所に人検知センサを設置し、前記給湯装置には前記人検知センサがその検知領域に人がいることを検知して人検知有りの信号を出力したときに、該人検知有りの信号を受信して該信号を通信線を介してリモコン装置側に送信する人検知有り信号受送信部を設けた構成によれば、人検知センサを、給湯装置に接続して所望の場所に設けることにより、防犯効果を高めることができる。
【００３０】
例えば給湯装置を浴室から離れた場所に設置する場合等に、この構成を適用し、浴室近傍領域に人検知センサを設ければ、浴室の覗き等をより一層効率的に防止できる。
【発明を実施するための最良の形態】
【００３１】
以下、本発明の実施の形態を、図面を参照して説明する。
【００３２】
図１には、本発明に係る防犯システムの一実施形態例の要部制御構成がブロック図により示されている。図１に示すように、本実施形態例の防犯システムは、屋外に配置される給湯装置としての給湯器２７と、該給湯器２７と通信線２により接続されて屋内に配置されるリモコン装置１とを有しており、給湯器２７には、給湯器２７の近傍に人がいることを検知する人検知センサ７が設けられている。
【００３３】
給湯器２７は、風呂釜用、台所給湯用等、様々なものが適用されるが、いずれも、通常、住宅に必然的に設けられるものである。本実施形態例において、給湯器２７は浴槽を含む１つ以上の給湯先への給湯機能を有しており、例えば図６に示した給湯器２７のように、浴室の窓度近傍領域に設けられている。
【００３４】
給湯器２７には、人検知センサ７、リモコン用信号送受信部４１、電話用データ送信部５６、威嚇動作部４０（４０ａ）、燃焼制御部３が設けられている。また、リモコン装置１には、給湯器用信号送受信部４２、表示画面３２、報知指令部４３、スピーカ３４、モード切替制御部４５、自動スイッチ３６、運転スイッチ３５、追い焚きスイッチ３３、時計機構４４、威嚇動作部４０（４０ｂ）が設けられている。
【００３５】
リモコン装置１の給湯器用信号送受信部４２は、リモコン装置１からの送信信号を、通信線２を介して給湯器２７に送信したり、給湯器２７側からの送信信号を、通信線２を介して受信したりするものである。
【００３６】
給湯器２７のリモコン用信号送受信部４１は、給湯器２７側からの送信信号を、通信線２を介してリモコン装置１側に送信したり、リモコン装置１からの送信信号を、通信線２を介して受信したりするものである。
【００３７】
このように、本実施形態例では、給湯器用信号送受信部４２とリモコン用信号送受信部４１とにより、通信線２を介しての、給湯器２７とリモコン装置１との双方向通信を行う構成と成している。
【００３８】
前記人検知センサ７は、例えば遠赤外線センサや超音波センサ等、適宜のセンサにより形成されており、人検知センサ７は、センサ受信信号を閾値と比較し、センサ受信信号が閾値以上の時に人検知有りの信号を出力する。人検知センサ７が例えば遠赤外線センサの場合、センサ受信信号は、人や物から発せられる遠赤外線の受信信号である。
【００３９】
人検知センサ７により人の検知が行われたときに、人検知有りの信号が人検知センサ７からリモコン用信号送受信部４１と威嚇動作部４０ａに加えられ、リモコン用信号送信部４１に加えられた人検知有りの信号は、リモコン装置１の給湯器用信号送信部４２を介して報知指示部４３に加えられる。なお、人検知センサ７からの人検知有りの信号は、リモコン用信号送受信部４１に直接加えるようにしてもよいし、燃焼制御部３を介してリモコン用信号送受信部４１に加えるようにしてもよい。
【００４０】
報知指示部４３は、上記人検知有りの信号を受けて、リモコン装置１に人検知有りの情報を表示と音声の両方により報知する指示を行うものである。人検知有りの情報報知の指示は、表示画面３２と、音声出力部としてのスピーカ３４とに加える。
【００４１】
表示画面３２は、上記報知指示部４３からの指示を受けて、人検知有りの情報の表示を行う。この情報表示は、図示されていない表示制御部により制御されるものであり、例えば図２（ｂ）に示すような文字表示によるものや、人検知有りを示すランプの点滅、点灯等の、予め定められた適宜の表示方法により行われるものである。なお、表示画面３２は、給湯器２７の燃焼運転の有無や、給湯関連設定情報、時計情報等も表示画面に表示するものである。
【００４２】
図２（ａ）は、本実施形態例に適用されている風呂用のリモコン装置１の外観構成を示すもので、リモコン装置１の筐体ケース５９の表面側に、前記表示画面３２が設けられている。また、表示画面３２の側部には、運転スイッチ３５と、追い焚きスイッチ３３と、自動スイッチ３６と、放送スイッチ３７と、通話スイッチ３８と、スピーカ３４とが設けられている。
【００４３】
さらに、表示画面３２の下側には、給湯や湯張りの温度と浴槽水位を設定する設定スイッチ２８ａ、２８ｂと、給湯温度、湯張り温度、浴槽水位等の各設定モードを切り替える選択スイッチ２９と、足し湯スイッチ３０と、ぬる湯スイッチ３１とが設けられている。
【００４４】
スイッチ３５、３３、３６、３７、３８にはランプ３９が設けられており、その各スイッチごとに、スイッチの動作が指示されたとき（オン動作されたとき）にはランプ３９の点灯（又は点滅）表示が行われ、スイッチ動作の解除指示がされたとき（オフ動作されたとき）にはランプ３９は消灯されるように構成されている。また、リモコン装置１の筐体ケース５９の内部には図示されていないマイクが内蔵されている。
【００４５】
表示画面３２は、例えば、液晶表示器（ＬＣＤ）や、蛍光表示管（ＶＦＤ）、発光ダイオード（ＬＥＤ）、ドットマトリックス表示、ブラウン管等の適宜の画面によって形成されるものであり、いずれの画面を適用してもよい。本実施形態例において、表示画面３２は、文字放送等の文字情報と給湯器２７の給湯関連情報とを１つの画面で切り替え表示する構成と成しており、図２（ａ）の例は、給湯関連情報が表示されている状態を示す。
【００４６】
給湯関連情報とは例えば、給湯設定温度、湯張り設定温度、湯張り設定水位、風呂温度、湯張り水位、給湯検出温度等の給湯機能の動作と、湯張り機能や保温機能の動作において必要な各種設定値と各種センサ検出値の情報である。
【００４７】
内蔵のマイクとスピーカ３４は、通常は、他のリモコン装置との間で会話を行うときに使用されるもので、例えば、入浴中に風呂用のリモコン装置１と台所に設置されている台所リモコン装置６２（図３参照）との間で、入浴している者が台所にいる者に浴室にタオルを持ってきてもらう等の要請を行うときの会話に使用される。このような会話を行うときに通話スイッチ３８を押すことにより、通話先の台所リモコン装置６２に呼び出し音が発せられ、居間や、台所にいる者に浴室からの会話の要求を知らせることができるものである。
【００４８】
また、本実施形態例では、前記報知指示部４３が、人検知有りの情報を音声により報知する指示を行ったときに、スピーカ３４は、人検知有りの情報を発信する。この情報の発信は、例えば「人を検知しました。」といったような言葉での伝達や、ブザーや警報器の疑似音による伝達等、予め定められた適宜の方法により行われる。なお、例えば給湯器２７による浴槽の自動湯張り動作の開始時や終了時に、この動作情報も、スピーカ３４から音声により発信される。
【００４９】
本実施形態例では、上記報知指示部４３と、表示画面３２と、スピーカ３４を有して、人検知センサ７によって、その検知領域（給湯器２７の近傍領域）に人がいることが検知されたときに、リモコン装置１に人検知有りの情報を表示と音声の両方により報知する報知手段が形成されている。
【００５０】
運転スイッチ３５は、オン操作によって給湯装置の遠隔操作を可能状態に設定し、オフ操作によってその遠隔操作の可能状態を解除するものである。つまり、運転スイッチ３５をスイッチオンとすることにより、リモコン装置１の回路と給湯器２７に設けられている制御用の回路とを動作可能な状態にし、スイッチオフとすることにより、回路動作を停止状態とするものである。給湯器２７の給湯機能の動作はこの運転スイッチ３５がオンの状態で行われる。
【００５１】
運転スイッチ３５を始めとし、各種スイッチ３３，３６のオンオフ信号は、給湯器用信号送受信部４２に加えられ、通信線２を介して、給湯器２７のリモコン用信号送受信部４１に加えられ、さらに、給湯器２７の燃焼制御部３に加えられる。
【００５２】
自動スイッチ３６は、給湯器２７の自動運転を指示するスイッチであり、オン操作によって給湯器２７の浴槽２６への湯張り動作と該湯張り動作の後の浴槽２６内の湯の保温動作のうち、少なくとも湯張り動作を有する自動動作を開始し、オフ操作によって該オフ操作直前に行われていた湯張り動作または保温動作を解除する。また、自動スイッチ３６は、前記自動動作が終了すると、自動的にオフする。
【００５３】
本実施形態例では、自動動作は湯張り動作から保温動作にかけての一連の動作を行うように構成されており、自動スイッチ３６は、この自動動作の開始と停止を指令するように構成され、スイッチオンによりその動作が開始し、スイッチオフの状態で動作停止状態となる。
【００５４】
追い焚きスイッチ３３は、給湯器２７の追い焚き運転を指示するスイッチであり、オン操作によって浴槽２６内の湯水の追い焚き動作を行い、オフ操作によって前記追い焚き動作を解除する。
【００５５】
放送スイッチ３７は、ラジオの音声放送（ＦＭラジオ放送）および文字放送（文字情報）の視聴と視聴停止を指令するものであり、スイッチオンにより、ラジオ放送開始となり、このとき、表示画面３２は、給湯関連情報の表示から放送番組用の表示に切り替わる。また、放送スイッチ３７をスイッチオフすると、放送停止となり、表示画面３２は放送用番組の表示から給湯関連情報の表示に切り替わる。
【００５６】
近年、給湯器２７の遠隔操作用のリモコン装置１においても、本実施形態例のように、放送スイッチ３７を設ける等して、ラジオの音声放送や文字放送を受信し、提供できるリモコン装置１が用いられるようになってきており、このように、リモコン装置１が放送提供機能を有していると、非常に便利である。
【００５７】
なお、本実施形態例では、放送機能についての説明は省略するが、本実施形態例に適用されているリモコン装置１は、表示画面３２に、ラジオの音声放送や文字放送の表示を行う機能と、前記給湯関連情報の表示を行う機能と、人検知センサ７が人を検知したときの、人検知有りの情報表示（例えば、「人検知有り」の文字表示）を行う機能とを有している。
【００５８】
そして、ラジオの音声放送や文字放送の表示や給湯関連情報の表示が行われているときに、報知指示部４３から人検知有りの情報表示の指示が加えられたときには、表示画面３２が、この情報表示に切り替わる。なお、このように、表示画面３２を切り替える代わりに、ラジオの音声放送や文字放送の表示や給湯関連情報の表示と、人検知有りの情報表示とを表示画面３２に併記して表示してもよい。
【００５９】
また、図３は台所リモコン装置６２の外観構成を示す。この台所リモコン装置６２は、前記した風呂用のリモコン装置１から、足し湯スイッチ３０、ぬる湯スイッチ３１、追い焚きスイッチ３３、放送スイッチ３７を取り除いた構成のものであり、それ以外はリモコン装置１と同様であり、リモコン装置１と共通の構成部分には同一符号を付して重複説明は省略する。
【００６０】
本実施形態例は、リモコン装置１を用いて給湯器２７の遠隔操作が行われると共に、リモコン装置１の自動スイッチ３６のスイッチオンオフ操作に連動して、前記人検知センサ７による人の検知動作が行われるか否かが設定されるようになっていることを特徴とする。
【００６１】
以下に、リモコン装置を用いて行なう給湯器２７の動作の一例を簡単に説明する。なお、この説明は、図４に示す給湯器２７の模式構成に基づき行うが、図４の給湯器２７の自体の構成は公知であるので、給湯装置自体の構成説明は省略する。なお、給湯器２７の構成は、図４に示す構成に限定されるものでなく、適宜設定されるものである。
【００６２】
給湯器２７の給湯機能の動作は、風呂用のリモコン装置１又は台所リモコン装置６２の運転スイッチ３５をオンし、この状態で給湯管路１１の給湯先に設けられている給湯栓（図示せず）を開くことにより開始する。給湯栓の開により、燃焼制御部３は流量センサ４により給水管路５を通水する最低作動流量以上の流量を検出すると、給湯バーナ１０を燃焼し、給湯熱交換器５７を通る水を加熱して湯を作成し、その湯を給湯管路１１を通して給湯先へ供給する。
【００６３】
この給湯機能の動作では、燃焼制御部３は入水温度センサ６による入水温と、流量センサ４による給湯量と、給湯温度センサ８による給湯温（出湯温）との検出情報に基づき、給湯湯温が台所リモコン装置６２（又はリモコン装置１）で設定された給湯設定温度となるように、ガス通路９から供給されるガス量を図示されていない比例弁の開弁量によって制御する。給湯動作は給湯先の給湯栓が閉止されることによって終了する。つまり、給湯栓の閉止によって流量センサ４が通水の停止を検出したときに、燃焼制御部３は給湯バーナ１０へのガス供給を遮断し、給湯バーナ１０の燃焼を停止する。
【００６４】
給湯器２７の自動運転（自動動作）は、湯張り機能の動作、追い焚き機能の動作、保温機能の動作を連続的に行うもので（湯張り完了時の浴槽水温度が湯張り設定温度（風呂設定温度）以上のときは追い焚き機能の動作は行われない）、前記運転スイッチ３５がオンされている状態で、リモコン装置１（又は、台所リモコン装置６２）の自動スイッチ３６をオン操作することにより開始する。
【００６５】
そうすると、注湯電磁弁１３が開かれ、前記給湯機能の動作と同様に給湯熱交換器５７を通る水は給湯バーナ１０の燃焼加熱により湯となり、その湯は、給湯管路１１から注湯路１４に入り、戻り管２３と往管２４を有して構成される追い焚き循環路２５を通して浴槽２６へ落とし込まれる。浴槽２６の水位は水位センサ２０としての圧力センサによって検出され、この検出水位が浴槽の設定水位に達したときに注湯電磁弁１３が閉じられ、湯張り動作が終了する。この湯張りの動作においては、燃焼制御部３は、湯張りの湯温が湯張り設定温度となるように給湯バーナ１０の燃焼量を制御する。
【００６６】
湯張りが完了したときに注湯電磁弁１３が閉じられる。そして、循環ポンプ２１が起動されて浴槽水の温度（湯温）が風呂温度センサ１８によって検出され、検出温度が湯張り設定温度（風呂設定温度）よりも低いときには追い焚き機能の動作が行われる。
【００６７】
追い焚き機能の動作とは、循環ポンプ２１が駆動されて浴槽２６の湯水が追い焚き循環路２５を通して循環されるもので、この循環水が流水スイッチ２２で検知されたときに風呂バーナ１６が燃焼駆動され、追い焚き熱交換器１５を通るときに循環湯水を加熱昇温して浴槽湯水の追い焚きを行う動作である。この追い焚き動作は、風呂温度センサ１８が風呂温度を検出し、その検出温度が風呂設定温度に達したときに風呂バーナ１６の燃焼停止と循環ポンプ２１の停止とが行なわれて終了する。
【００６８】
そして、自動運転の動作においては、引き続き保温機能の動作が行なわれる。この保温機能の動作は、所定の時間間隔で、循環ポンプ２１を短時間起動し、浴槽２６の湯を追い焚き循環路２５を通して循環し、風呂温度センサ１８により浴槽２６の湯温（風呂温度）を検出する。風呂（浴槽湯水）の検出温度が風呂の設定温度よりも許容範囲を外れて低下したときには、循環ポンプ２１を駆動して浴槽２６の湯水を追い焚き循環路２５を通して循環しながら、風呂バーナ１６の燃焼により追い焚き熱交換器１５で加熱し、追い焚きを行う。
【００６９】
そして、風呂温度センサ１８の検出温度が風呂の設定温度に達したときに循環ポンプ２１を停止し、風呂バーナ１６の燃焼を停止する。このように保温機能の動作（保温動作）は湯張りが終了してから所定の時間（例えば４時間）にわたって行なわれる。保温機能と供に保水機能の動作を行う給湯器２７においては、水位センサ２０によって浴槽の水位が監視され、浴槽の水位が設定水位から許容範囲を越えて低下したときには注湯電磁弁１３が開けられて給湯熱交換器５７側から設定水位に達する不足分の湯量が補充され、浴槽水位を設定水位に維持する保水動作が行なわれる。
【００７０】
また、リモコン装置１の追い焚きスイッチ３３が押されたときには、前記追い焚き機能の動作が単独の動作として行われる。また、リモコン装置１の足し湯スイッチ３０が押されると、足し湯機能の動作が行われ、湯張り設定温度の湯が一定量（例えば２０リットル）給湯熱交換器５７側から浴槽２６へ落としこまれる。さらに、リモコン装置１のぬる湯スイッチ３１が押されると、ぬる湯機能の動作が行われ、給水の水が加熱されずに一定量（例えば１０リットル）給湯熱交換器５７側から浴槽２６へ落としこまれる。
【００７１】
なお、図４において、１２は流量センサ、２２は流水スイッチ、１９は循環ポンプ２１の吐出口と追い焚き熱交換器１５の入水口を連通接続する管路、１７は風呂バーナ１６へのガス通路をそれぞれ示している。
【００７２】
本実施形態例においては、上記のように、リモコン装置１の操作に基づき、給湯器２７の運転制御が行われるが、また、自動スイッチ３６のオンオフ動作に連動して、以下のように、モード切替制御部４５による人検知センサの動作モードの切り替えが行われる。
【００７３】
つまり、図１に示すように、自動スイッチ３６のオンオフ信号は、給湯器用信号送受信部４２に直接加えられると共に、モード切替制御部４５に加えられる。モード切替制御部４５は、自動スイッチ３６がオンの時には前記人検知センサ７による人の検知動作を行う人検知動作モードとし、前記自動スイッチ３６がオフの時には前記人検知センサ７による人の検知動作を行わない非人検知動作モードとするものであり、この切り替え信号を、給湯器用信号送受信部４２に加える。
【００７４】
この切り替え信号は、通信線２を介して給湯器２７に加えられ、リモコン用信号送受信部４１から人検知センサ７に加えられる。人検知センサ７は、人検知動作モードの時には、人の検知動作を行い、非人検知動作モードの時には、オフされて、人の検知動作を行わない。なお、リモコン装置１から給湯器２７のリモコン用信号送受信部４１に加えられる前記切り替え信号は、リモコン用信号送受信部４１から人検知センサ７に直接加えるようにしてもよいし、リモコン用信号送受信部４１から燃焼制御部３を介して人検知センサ７に加えるようにしてもよい。
【００７５】
そして、人検知動作モードの時に、人検知センサ７によって人の検知が行われると、人検知センサ７から出力される「人検知有り」の信号が、リモコン用信号送受信部４１に加えられ、さらに、通信線２を介してリモコン３の給湯器用信号送受信部４２に伝達される。
【００７６】
そうすると、前記「人検知有り」の検知信号が報知指示部４３に加えられ、「人検知有り」の情報が、上記のように適宜の方法により（例えば図２（ｂ）に示したように）、リモコン装置１の表示画面３２に表示されると共に、「人検知有り」の情報が、スピーカ３４から適宜発信され、報知される。
【００７７】
また、給湯器２７に設けられている電話用データ送信部５６は、前記人検知センサ７が給湯器２７の近傍領域に人がいることを検知したときに、「人検知有り」の情報を、予め定められている設定電話番号の電話に送信するものであり、本実施形態例では、「人検知有り」の情報を携帯電話５０に送信する。このデータは、例えばメールの形態で携帯電話５０に送信され、ディスプレイ部に文字情報として表示されたり、音声情報として送信され、携帯電話５０の持ち主に音声で伝達されたりする。
【００７８】
なお、電話用データ送信部５６を有線により警察や警備会社等の電話に接続し、人検知センサ７が給湯器２７の近傍領域に人がいることを検知したときに、人検知センサ７が人を検知したという信号を、１１０番や予め定められている設定電話番号の警備会社の電話に送信してもよい。
【００７９】
また、威嚇動作部４０は、前記人検知センサ７が前記給湯器２７近傍に人がいることを検知したときに警告を発する。この警告は、例えば光と音と振動の少なくとも一つの手段によって発するものであり、例えばスピーカ等を介して警告を発したり、ライトを当てる等、様々な適用が可能である。本実施形態例では、給湯器２７に威嚇動作部４０（４０ａ）が、リモコン装置１に威嚇動作部４０（４０ｂ）がそれぞれ設けられている。
【００８０】
なお、例えば、通信線２の切断等を検出するセンサを設け、例えば不審者により通信線２が切断されたときにも、リモコン装置１の威嚇動作部４０ｂが警告を発するように構成することもできる。このように構成すると、警告により、不審者を追い払う等の効果を発揮できる。また、電源線が切断された場合は、本体（ここでは給湯器２７）のメモリバックアップ用バッテリーを用いて本体から警告を発してもよい。
【００８１】
本実施形態例は、上記構成と動作によって、効率的に浴室の覗き等を防止できる。つまり、本実施形態例によれば、自動スイッチ３６がオン操作されて、人の入浴が行われる可能性が高いときには、人検知センサ７による人の検知動作を行うようにするので、人の入浴時に不審者等を人検知センサ７によって効率的に検知でき、人検知有りの情報を表示と音声の両方により報知するので、不審者等がいるという情報を使用者に的確に把握させることができる。そのため、その情報に基づいて、利用者が対処することにより、浴室５８の覗きを効率的に防止できる。
【００８２】
また、本実施形態例によれば、自動スイッチ３６が自動的にオフとなったり、自動スイッチ３６のオフ操作が行われたりして、人の入浴の可能性が小さいときには人検知センサ７による人の検知動作を行わないように、人検知センサ７をオフとするので、省電力化を図ることができる。
【００８３】
さらに、本実施形態例によれば、通常、住宅に必然的に設置される給湯器２７の通信回線（通信線２）を利用して防犯システムを構成できるので、新たな通信線の配線を行う手間を省け、配線設置により見栄えを損なうこともなく、より安価に防犯システムを構築できる。
【００８４】
さらに、本実施形態例によれば、人検知センサ７によって給湯器２７の近傍領域に人がいることを検知したときに、人検知有りの情報を予め定められている設定番号の電話に送信する電話用データ送信部５６を有するので、設定電話番号の携帯電話５０等に、不審者等が検知されたことが送信され、呼び出し音により注意を促したり、人を検知したことが記録されたりするので、利用者により一層の注意を促すことができる。
【００８５】
さらに、本実施形態例によれば、リモコン装置１と給湯器２７の両方に、人検知センサ７によって給湯器２７の近傍領域に人がいることを検知したときに警告を発する威嚇動作部４０が設けられているので、例えば泥棒等の不審者が給湯器２７の近傍領域に近づいた時に、給湯器２７の威嚇動作部４０ａにより警告を発することにより、不審者が逃げ出すように仕向けることができる。また、リモコン装置１の威嚇動作部４０ｂから警報を発すれば、リモコン装置１の近くに使用者がいない場合でも、不審者等が近づいたことを使用者が直ちに気づくことができ、防犯機能を高めることができる。
【００８６】
なお、本発明は上記実施形態例に限定されることはなく、様々な態様を採り得る。例えば、上記実施形態例では、モード切替制御部４５は、自動スイッチ３６のオンオフに連動して、人検知センサによる人の検知動作を行うか否かのモード切替を行うようにしたが、図１の破線に示すように、運転スイッチ３５や追い焚きスイッチ３３のオンオフ信号をモード切替制御部４５に加え、モード切替制御部４５が、運転スイッチ３５や追い焚きスイッチ３３のオンオフ信号に連動して人検知センサ７による人の検知動作を行うか否かのモード切り替えを行うようにしてもよい。
【００８７】
例えば、モード切替制御部４５は、運転スイッチ３５がオンの時には前記人検知センサ７による人の検知動作を行う人検知動作モードとし、前記運転スイッチ３５がオフの時には前記人検知センサ７による人の検知動作を行わない非人検知動作モードとするようにしてもよい。
【００８８】
また、モード切替制御部４５は、追い焚きスイッチ３３がオンの時には人検知センサ７による人の検知動作を行う人検知動作モードとし、前記追い焚きスイッチ３３がオフの時には前記人検知センサ７による人の検知動作を行わない非人検知動作モードとするようにしてもよい。
【００８９】
さらに、モード切替制御部４５は、時計機構４４により計測される時間情報を取り込み、自動スイッチ３６のオン操作によって給湯器２７の湯張り動作が終了したとき、または終了してから予め定めた設定待機時間が経過したときから人検知センサ７による人の検知動作を開始し、該開始時から予め定めた設定センサ動作時間が経過したときには前記人検知センサ７による人の検知動作を終了するようにしてもよい。
【００９０】
なお、このように、設定待機時間や設定センサ動作時間を設定してモード切替制御部４５により人検知センサ７の動作モードを制御する構成とする場合、例えばモード切替制御部４５にメモリを設け、このメモリに設定待機時間や設定センサ動作時間を格納して、人検知センサ７の動作モードを行うようにするとよい。
【００９１】
上記のように、モード切替制御部４５が、運転スイッチ３５や追い焚きスイッチ３３のオンオフ信号に連動して人検知センサ７による人の検知動作を行うか否かのモード切り替えを行ったり、給湯器２７の湯張り動作が終了したとき、または終了してから予め定めた設定待機時間が経過したときから人検知センサ７による人の検知動作を開始し、該開始時から予め定めた設定センサ動作時間が経過したときには前記人検知センサ７による人の検知動作を終了したりする構成においても、上記実施形態例と同様に、人が入浴する可能性が高い時間に、不審者等を人検知センサ７によって効率的に検知できる。
【００９２】
したがって、入浴中やその前後に、浴室の覗きに対する注意を促して覗き等を効率的に防止でき、人の入浴の可能性が小さいときには人検知センサ７による人の検知動作を行わないようにして、省電力化を図ることができる。
【００９３】
さらに、図５に示すように、浴室５８内に、人の浴槽２６への入浴と人の浴槽２６からの出浴を検出する入出浴者検知センサ４６を設け、この入出浴者検知センサ４６のセンサ出力に基づき、モード切替制御部４５が人検知センサ７の動作モードを切り替えるようにしてもよい。なお、図５において、符号５１は、シャワーを示す。
【００９４】
例えば、モード切替制御部４５は、図１の破線に示すように、入出浴者検知センサ４６のセンサ出力と時計機構４４により計測される時間情報とを取り込み、人が浴槽２６に入ったことが検出された時、または検出されてから予め定めた設定待機時間が経過したときに、人検知センサ７による人の検知動作を開始し、入出浴者検知センサ４６のセンサ出力に基づいて人が浴槽２６から出たことが検出された時、または検出されてから予め定めた設定動作時間が経過したときに人検知センサ７による人の検知動作を終了するようにしてもよい。
【００９５】
また、本実施形態例のように、給湯器２７が、浴槽２６の水位を検出する浴槽水位検出手段としての水位センサ２０を有している場合、入出浴者検知センサ４６を設ける代わりに、水位センサ２０により検出される浴槽２６の水位上昇と下降の情報に基づいて、モード切替制御部４５が人検知センサ７の検知動作モードを切り替えるようにしてもよい。
【００９６】
つまり、水位センサ２０により人の浴槽２６への入浴による水位上昇が検出された時（単位時間当たりの水位上昇量が設定量以上となったとき）、または検出されてから予め定めた設定時間が経過したときに人検知センサ７による人の検知動作を開始し、該開始時から水位センサ２０により人が浴槽２６から出ることによる水位下降が検出された時（単位時間当たりの水位下降量が設定量以上となったとき）、または検出されてから予め定めた設定動作時間が経過するまで、人検知センサ７による人の検知動作を行うように（人検知動作モードと）してもよい。
【００９７】
さらに、図５に示すように、人の浴室５８への入室と人の浴室５８からの退室を検出する入出浴者検知センサ４７をリモコン装置１に信号接続し、モード切替制御部４５が、入出浴者検知センサ４７のセンサ出力に基づき、人が浴室５８に入ったことが検出された時、または検出されてから予め定めた設定待機時間が経過したときに人検知センサ７による人の検知動作を開始し、入出浴者検知センサ４７のセンサ出力に基づいて人が浴室５８から出たことが検出された時、または検出されてから予め定めた設定動作時間が経過したときに人検知センサ７による人の検知動作を終了するようにしてもよい。
【００９８】
なお、リモコン装置１は浴槽２６に面して設置されることが多いことから、この設置条件を利用し、入出浴者検知センサ４６，４７はリモコン装置１に直接設けてもよい。この場合、例えば、浴槽２６への入出浴を検知する入出浴者検知センサ４６は、略下方を検知するようにし、浴室５８の入退室を検知する入出浴検知センサ４７は、略水平から略上方を検知するようにして検知区分を分けるとよい。
【００９９】
これらのように、入出浴者検知センサ４６，４７や水位センサ２０のセンサ出力に基づいて、人検知センサ７による人検知動作モードを切り替える構成においては、人の入出浴を検知できるので、人の入浴中やその前後に不審者等を人検知センサによってより一層効率的に検知でき、浴室の覗きを効率的に防止でき、人の入浴時以外の時には人検知センサ７による人の検知動作を行わないようにして、省電力化を図ることができる。
【０１００】
なお、入出浴者検知センサ４６，４７や水位センサ２０のセンサ出力に基づいて、人検知センサ７による人検知動作モードを切り替える構成においても、設定待機時間や設定センサ動作時間を設定してモード切替制御部４５により人検知センサ７の動作モードを制御する構成とする場合、例えばモード切替制御部４５にメモリを設け、このメモリに設定待機時間や設定センサ動作時間を格納して、人検知センサ７の動作モードを行うようにするとよい。
【０１０１】
さらに、上記実施形態例では、電話用データ送信部５６を給湯器２７に設けたが、電話用データ送信部５６はリモコン装置１に設けることもできるし、省略することもできる。
【０１０２】
また、上記実施形態例では、給湯器２７とリモコン装置１の両方に威嚇動作部４０を設けたが、給湯器２７とリモコン装置１のいずれか一方にのみ威嚇動作部４０を設けてもよいし、リモコン装置１や給湯器２７以外の場所に設け、例えばリモコン線等を用いて接続してもよい。また、威嚇動作部４０を省略することもできるが、威嚇動作部４０を設けると、犯罪を未然に防ぐ上で有利であり、好ましい。
【０１０３】
さらに、最近は、車庫や玄関等に、人から出る遠赤外線を感じて人が近づくと点灯するライトが設けられている場合が多い。そこで、給湯器２７からこの遠方にあるライトが感知する位の比較的高出力（人体から出るものに対して）の遠赤外線を出して、人が車庫に近づいた時と同じような形状を擬似的に作り出し、給湯器２７の周囲にあるライトを威嚇動作に用いるようにしてもよい。このようにすると、通信線を工事する必要がないという利点がある。
【０１０４】
さらに、上記実施形態例では、人検知センサに７よって給湯器２７の近傍領域に人がいることを検知したときには、人検知有りの情報を表示と音声の両方により報知したが、人検知有りの情報は、表示と音声のいずれか一方により報知する構成としてもよい。
【０１０５】
さらに、本発明において、給湯器２７とリモコン装置１の少なくとも一方に、人検知センサ７による人の検知感度を可変設定できる人検知感度可変設定部を設けてもよい。
【０１０６】
例えば、給湯器２７に人検知感度可変設定部を設ける場合、給湯器２７の制御基板にディップスイッチ（ＤＩＰ  ＳＷ）を設け、このスイッチを人検知感度可変設定部とすることができ、このスイッチを手動で動かすことにより、人検知センサ７による人の検知感度を、例えば大中小の３段階や１〜５といった適宜の数字に合わせた適宜の段階に設定できる。
【０１０７】
また、リモコン装置１に人検知感度可変設定部を設ける場合、リモコン装置１の操作パネルに感度設定スイッチを設けて人検知感度可変設定部とすることができ、このスイッチを手動で操作することにより人検知センサ７による人の検知感度を、連続的または断続的に可変設定できる。
【０１０８】
さらに、人検知センサ７による人の検知感度を小さくする時間帯を、給湯器２７に内蔵されているタイマーと連動させてもよい。つまり、例えばリモコン装置１に、閾値と時間との設定操作部を設けて、この設定操作部を人検知感度可変設定部とし、猫が給湯器２７の周辺を通りやすい時間帯等には、人検知センサ７による人の検知感度が小さくなるように、上記タイマーとの連動制御を行うようにしてもよい。
【０１０９】
さらに、上記実施形態例では、人検知センサ７を設ける給湯装置を給湯器２７としたが、屋外に配置される給湯装置は、冷暖房熱源機やコジェネレーション給湯熱源装置を備えた給湯熱源システム、電気温水器、ヒートポンプ式給湯器等の給湯装置としてもよい。この場合も、人検知センサ７の検知信号をリモコン装置１に伝達する通信線２は熱源装置の制御用の通信回線を使用しても使用しなくてもよいが、通信線２は熱源装置の制御用の通信回線を使用したほうが、設置が容易となり、コストも低減できるので好ましい。
【０１１０】
さらに、リモコン装置１は、電源スイッチを操作すると表示を含めて全ての機能を停止状態にする省エネタイプの装置としてもよい。この場合、人検知センサ７のみはＯＮとしておき、この人検知センサ７から「人検知有り」の信号を受けたならば、この信号で、リモコン装置１の電源スイッチをＯＮとしてディスプレイ表示可能状態にできるようにすることで、省エネと防犯を両立できる。
【０１１１】
さらに、給湯器２７等の給湯装置に人検知センサ７を設ける代わりに、給湯装置以外の場所に人検知センサ７を設置し、給湯装置には前記人検知センサ７がその検知領域に人がいることを検知して人検知有りの信号を出力したときに、該人検知有りの信号を受信して、該信号を通信線２を介してリモコン装置１側に送信する人検知有り信号受送信部を設けてもよい。
【図面の簡単な説明】
【０１１２】
【図１】本発明に係る防犯システムの一実施形態例の制御構成をブロック図により示す説明図である。
【図２】上記実施形態例に適用されている風呂用のリモコン装置を示す説明図である。
【図３】上記実施形態例に適用されている台所用のリモコン装置を示す説明図である。
【図４】給湯器のシステム構成例を示すモデル図である。
【図５】浴室へのリモコン装置と入出浴者検出センサの配置構成例を模式的に示す説明図である。
【図６】浴室の窓の上側に人検知センサを取り付けた防犯システムの構成を模式的に示す説明図である。
【符号の説明】
【０１１３】
１  リモコン装置
２  通信線
３  燃焼制御部
７  人検知センサ
３２  表示画面
３３  追い焚きスイッチ
３４  スピーカ
３５  運転スイッチ
３６  自動スイッチ
３７  放送スイッチ
４０  威嚇動作部
４１  リモコン用信号送受信部
４２  給湯器用信号送受信部
４３  報知指示部
４４  時計機構
４５  モード切替制御部
４６，４７  入出浴者検出センサ
５６  電話用データ送信部
【図１】
2006221358.tif 000003
【図２】
2006221358.tif 000004
【図３】
2006221358.tif 000005
【図４】
2006221358.tif 000006
【図５】
2006221358.tif 000007
【図６】
2006221358.tif 000008